(57)【要約】  ハイブリッド物質２及び揮発性液体を使用するケミカルヒートポンプにおいて、物質及び／又は凝縮された揮発性液体に結合するため、又はそれらを含むためのマトリックス材料の層３が提供される。これらのマトリックス層は、少なくともマトリックス層の自由表面のところで外部媒体への、又は外部媒体からの熱の輸送が達成されるように、また好ましくはそれらの反対側の表面のところでも熱の輸送が達成されるように配置される。そのために、内部を外部媒体が流れるパイプ管路９が提供され、このパイプ管路９は、マトリックス層の表面、例えば支持プレート４の下及びマトリックス層のすぐ上に配置される。マトリックス層の自由表面、すなわち支持プレートの位置していない表面でパイプ管路を使用することによってもなお、マトリックス層の自由表面が蒸発段階と凝縮段階の両方で揮発性液体の蒸気を透過させることが実現される。
2011511924.tif 000002
【特許請求の範囲】
【請求項１】
活性物質と、揮発性液体とを有するケミカルヒートポンプであって、前記揮発性液体は第１の温度で前記活性物質により吸収されることができ、且つより高い第２の温度で前記活性物質により脱着されることができ、前記活性物質は第１の温度で固体状態を有し、そこから前記活性物質は、前記揮発性液体及びその蒸気相を吸収するときに即時に部分的に液体状態又は溶液相になり、また前記活性物質は第２の温度では液体状態を有し、或いは溶液相で存在し、そこから前記活性物質は、前記揮発性液体、特にその蒸気相を解放するときに即時に部分的に固体状態になり、また
前記活性物質を含む第１の容器と、
凝縮形態で存在する前記揮発性液体の部分を含む第２の容器と、
前記第１の容器と前記第２の容器を相互接続する、前記揮発性液体の蒸気相のためのチャネルと
を有しているケミカルヒートポンプにおいて、
前記第１及び第２の容器の少なくとも一方が、前記活性物質、又は凝縮形態で存在する前記揮発性液体の前記部分を受け取るためにマトリックス材料の層をそれぞれ有し、前記マトリックス層は、それぞれの容器の固定表面と直接接触して配置され、また外部媒体との熱交換のために、外部媒体用の第１のパイプ管路が、前記マトリックス層の自由表面であって、前記マトリックス層が前記容器の前記固定表面と接触する該層の表面とは反対側の自由表面のところを直接通っていることを特徴とするケミカルヒートポンプ。
【請求項２】
支持プレートが、前記第１及び第２の容器の前記少なくとも一方に配置されており、該支持プレートは、前記容器の外壁から前記容器の内部に向かって延びていることを特徴とする請求項１に記載のケミカルヒートポンプ。
【請求項３】
実質的に水平に延びる支持プレートが、前記第１及び第２の容器の前記少なくとも一方に配置されており、前記マトリックス層は、該支持プレートの上に配置されていることを特徴とする請求項１又は２に記載のケミカルヒートポンプ。
【請求項４】
前記外部媒体との熱交換のために、外部媒体用の第２のパイプ管路もまた設けられており、該第２のパイプ管路は、前記支持プレートの表面のところを直接通っており、且つマトリックス層とは接触していないことを特徴とする請求項２又は３に記載のケミカルヒートポンプ。
【請求項５】
１つのマトリックス層のための前記第１のパイプ管路が、同時に、当該マトリックス層の自由表面のところに配置された次のマトリックス層のための前記第２のパイプ管路であることを特徴とする請求項１から４までのいずれか一項に記載のケミカルヒートポンプ。
【請求項６】
開口を有する熱分配カバー構造、特にネットが、前記マトリックス層の自由表面と前記第１のパイプ管路との間に配置されることを特徴とする請求項１に記載のケミカルヒートポンプ。
【発明の詳細な説明】
【技術分野】
【０００１】
本出願は、２００８年２月１２日出願のスウェーデン特許出願第０８００３１４−７号に対する優先権を主張し、その出願の利益を受けるものであり、その出願の教示全体を参照として本明細書に組み込む。
【０００２】
本発明は、マトリックス法に従って動作する内蔵エネルギー貯蔵機構を有する吸収機（ａｂｓｏｒｐｔｉｏｎ  ｍａｃｈｉｎｅ）に関する。
【背景技術】
【０００３】
国際公開第２００７／１３９４７６号に記載されている「マトリックス法」に従って動作する吸収機では、活性物質（反応物質）のためにキャリアすなわち「マトリックス」が使用され、これは、固体状態から、放熱段階において揮発性液体の蒸気を吸収して液体状態になり、その後、入熱段階において蒸気を解放する。マトリックスは、多かれ少なかれ熱伝導性の良い材料、例えば金属又はガラスの実質的に平坦な壁と密着して配置され、その壁を通して活性物質との熱交換が行われる。
【０００４】
ここで、熱交換プロセス、すなわち、活性物質と前記壁の反対側に位置する外部媒体との間の熱交換に関する問題がある。マトリックス材料は、それ自体は熱絶縁材料であり、熱交換壁及びマトリックス材料を介する所望の熱交換を妨げることがあると考えられる。さらに、マトリックス法に従って動作する吸収機が良好なパワー及び効率、並びに所望の出力エネルギーを提供することができるようにするために、活性物質が配置されるマトリックスの活性表面が、壁の他方の面での媒体の温度とできるだけ同じ温度、又は少なくとも壁自体の温度とできるだけ同じ温度を有するべきである。差が大きすぎる場合、吸収機は、その加熱状態でもその冷却状態でも、それぞれ所望の高い温度又は所望の低い温度を提供することができなくなることが起こり得る。
【０００５】
さらに、それぞれその加熱状態及びその冷却状態で吸収機から出力されるパワーに関して、単位時間当たりのエネルギーの量、すなわち熱交換壁の表面からマトリックスの活性表面に渡ることができるパワーが重要である。上述したように、これはマトリックス材料の熱伝導性に依存する。マトリックス材料は有孔性であり、且つ低い熱伝導性を有するセラミックを含むことが多いので、特にマトリックス材料に液体が完全に浸漬していないときには、それ自体が低い熱伝導性を有し、その熱伝導性質に関して通常の熱絶縁材料に類似する。
【０００６】
前述したように、活性マトリックス表面が熱交換壁の温度と同じ温度を有することを実現することが望ましく、そして、熱交換表面を活性マトリックスの表面と直接接触させて配置することによって直接の加熱が行われるようにすることが適していることが容易に分かる。しかし、これは不可能である。なぜならその場合、熱交換表面が遮蔽しており、マトリックスの活性表面から水が蒸発して水蒸気になること、及びマトリックスの表面で蒸気が凝縮して水になることを妨げるからである。これら２つのプロセスは吸収機の機能の根底を成すものであり、２つの動作段階、すなわち入熱段階と放熱段階に対応するものである。
【先行技術文献】
【特許文献】
【０００７】
【特許文献１】スウェーデン特許出願第０８００３１４−７号
【特許文献２】国際公開第２００７／１３９４７６号
【発明の概要】
【発明が解決しようとする課題】
【０００８】
本発明の目的は、活性物質及び／又は凝縮液を含む／結合するためのマトリックス層を使用し、そのような層への、及びそのような層からの効率的な熱の輸送を提供する、ハイブリッド物質を有するケミカルヒートポンプを提供することである。
【課題を解決するための手段】
【０００９】
したがって、例えば活性物質を含むマトリックス層を、少なくとも活性物質の自由表面において外部媒体への及び外部媒体からの熱の輸送が得られるように配置することができる。また熱交換は、自由表面と反対側の層の表面で行うこともできる。外部媒体が流れているパイプ管路が、層の表面、例えば支持プレートの下及び層のすぐ上に配置されていることによって、これを達成することができる。特に、層の自由表面、すなわち支持プレートの位置していない表面でパイプ管路を使用することによって、層の自由表面が蒸発段階と凝縮段階の両方で蒸気を透過させることが達成される。
【００１０】
それによって、ケミカルヒートポンプにおける効率的な熱の輸送及び効率的な容器の構造を実現することができる。
【００１１】
本発明の追加の目的及び利点は、以下の説明に記載し、一部はその説明から明らかであり、或いは本発明の実践から知ることができる。本発明の目的及び利点は、添付の特許請求の範囲に特に指摘した方法、プロセス、手段、及び組合せによって実現して得ることができる。
【００１２】
本発明の新規の特徴は添付の特許請求の範囲に詳細に記載されているが、添付図面を参照して本明細書で以下に提示する非限定的な実施例の以下の詳細な説明を考察すれば、編成と内容の両方に関して、本発明、並びに本発明の上述及び他の特徴を完全に理解することができ、本発明がより良く把握されよう。
【図面の簡単な説明】
【００１３】
【図１ａ】支持プレートに配置されたマトリックス層の一区域の側部から見た概略図である。
【図１ｂ】支持プレートに配置されたマトリックス層の一区域の上部から見た概略図である。
【図２ａ】図１ａと同様であるが、適用されたネット構造を含むマトリックス層を有する図である。
【図２ｂ】図１ｂと同様であるが、適用されたネット構造を含むマトリックス層を有する図である。
【図３】ハイブリッド原理に従って動作し、キャリア内に吸引された活性物質を含むケミカルヒートポンプの概略図である。
【発明を実施するための形態】
【００１４】
図３に概略的に示されるケミカルヒートポンプでは、活性物質２（本明細書では単に「物質」とも呼ぶ）を含む第１の容器１（蓄熱器又は反応器とも呼ぶ）が提供される。物質は、収着質（ｓｏｒｂａｔｅ）を発熱的に吸収し、吸熱的に脱着することができ、収着質は、一般に揮発性液体であり、通常は水である。ここでは、物質２は、マトリックス又はキャリア３によって保持又は担持されている、或いはマトリックス又はキャリア３内に吸引されているものとして図示されており、マトリックス又はキャリア３は、一般に、開孔を有する少なくとも１つの有孔体を成し、又はそのような有孔体としての形状を有し、適切な不活性物質から形成される（上で引用した国際特許出願を参照のこと）。図示されるように、マトリックスは、複数のプレート４上にある均一又は実質的に一定の厚さを有する水平層として配置することができ、これらのプレート４は、互いに上下に位置され、反応器容器１の内壁からこの容器の内部に向かって延びている。プレートは、例えば、容器の２つの向かい合う平行な内面から突出することができる。第１の容器１は、２つの容器１、５に接続されたパイプの形状を有する固定ガス管路６を介して第２の容器５（凝縮器／蒸発器とも呼ぶ）に接続される。第２の容器は、第１の容器１内の物質２からの吸熱脱着中に気体収着質７を液体収着質８に凝縮するための凝縮器として作用し、且つ第１の容器内の物質中への収着質の発熱吸収中に液体収着質８を気体収着質７に蒸発させるための蒸発器として作用する。
【００１５】
ハイブリッド原理に従って動作するヒートポンプでは、活性物質及び揮発性液体は、第１の温度で活性物質が揮発性液体を吸収することができるように、且つより高い第２の温度で活性物質が揮発性液体を脱着することができるように選択される。活性物質は、第１の温度で固体状態を有さなければならず、そこから、揮発性液体及びその蒸気相を吸収するときに、即時に部分的に液体状態又は溶液相になり、第２の温度では、活性物質は液体状態を有さなければならず、又は溶液相で存在しなければならず、そこから、揮発性液体、特にその蒸気相を解放するときに、即時に部分的に固体状態になる。
【００１６】
蓄熱器１内のマトリックスの層３内にある活性物質２は、ヒートポンプの機能のために、外部媒体と熱交換接触しなければならない。この媒体は、蓄熱器の内部に延びる分岐路９を有する外部パイプ管路８を通して提供することができる。分岐管路は、一部はプレート４の下に、一部はマトリックス層３の上側又は上面に配置することができる。図示されるように、特にマトリックス層３の自由表面に配置された分岐管路９は、多かれ少なかれ密集させずに配置することができ、前記自由表面の遮蔽されていない領域を管路間に残し、そこでは蒸気の輸送が管路によって妨げられないようになっている。したがって、自由表面に位置されたパイプ部分は、例えば、自由表面のうちの小部分のみ、例えば自由表面の面積の５０％未満のみを覆うことができる。マトリックス層内の活性物質への、及びその活性物質からの蒸気の輸送が妨げなく生じ得ることが保証される。効率的な熱交換を提供するそのような設計により、引用した国際特許出願に記載される５〜１０ｍｍの厚さと比較して、より大きな厚さを有する、例えば２０〜３０ｍｍの厚さを有するマトリックス層３の使用を可能にすることができる。
【００１７】
分岐管路９の構成は、図１ａ及び図１ｂにも示される。マトリックス層の片面に位置されたパイプ管路９の部分が、互いに平行であり、互いに均一な距離で規則的に配置されたパイプ・セグメントを有することができることが見て取れる。図示されるように、均一な距離は、セグメントでのパイプの直径よりもかなり大きくすることができ、例えば、前記直径の２倍よりも大きく、又はさらには前記直径の３倍よりも大きくすることができる。さらに、図１ａには、パイプ管路９をどのようにマトリックス層３の下及び上に配置することができるかが示され、それによってパイプ管路の第１のループが、各マトリックス層の自由表面を通り、パイプ管路の第２のループが、当該マトリックス層を載せたプレートの下を通る。ループ内のパイプ管路は、互いに平行に延びることができ、例えばジグザグ経路の形状を有しているが、この事例は図示されていない。
【００１８】
また、層３がネット１１など開口を有する構造で覆われていることにより、層３の上側での熱交換をさらに高めることができることが図２ａ及び図２ｂから分かる。一般に、開口の総面積は、マトリックス層の自由表面の総面積に対して十分な占有率、例えば５０％超に対応すべきである。カバー構造は、良好な熱伝導性を有する何らかの材料、例えば銅などの金属から形成することができる。
【００１９】
さらに図３から、コンパクトな設計が分かる。熱交換媒体は、パイプ管路８に入り、分岐管路９内に進む。分岐管路のジグザグ配置が、各マトリックス層３とその上に配置されたプレート４との間の空間内に提供され、パイプ管路層の厚さがこの間隙を実質的に埋めるようになっており、すなわち、使用されるパイプの直径を中間空間の厚さに実質的に対応させることができる。したがってこの場合、当該マトリックス層３のためのパイプ管路９の上述した第１のループは、同時に、当該マトリックス層のすぐ上に位置する次のマトリックス層のためのパイプ管路の第２のループである。さらにこの場合、容器１の中央で、媒体を逆方向に流すように分岐管路が湾曲されて戻される特別な構成を取ることが必要とされることもあり、このとき分岐管路９の湾曲部分は、中間空間内への、及び中間空間からの蒸気の流れを妨げない。例えば符号１３で示されるように、マトリックス層の縁部領域を、マトリックス層３の上部内縁で取り除くことができる。このときマトリックス層は上部内縁で面取りされていると言うことができる。取り除かれた縁部領域は、図示されるようにほぼ三角形の断面を有することができる。媒体は、点線９’で示される分岐管路部分を通して、供給管路８の帰流部分８’に戻される。
【００２０】
図３に示されるように、一組の平行なプレート４、マトリックス層３、及びマトリックス層に配置された分岐管路９を、反応器１の２つの向かい合う壁で領域Ｉの内部に提供することができる。同じ構造を凝縮器／蒸発器５で使用することができ、その場合、マトリックス層３は、活性物質を含まず、且つ活性物質に結合せず、その代わりに、凝縮された収着質を含み、且つ／又は収着質に結合する。そのとき、プレート４及び層３は、領域ＩＩ内に配置される。ここでは分岐管路は別の熱交換媒体のためのパイプ（図示せず）に接続される。別法として、何らかの理由から他方の容器を別の様式で構成しなければならない場合には、この構造を容器１、５の一方のみで使用することができる。
【００２１】
本発明の特定の実施例を本明細書で例示して説明してきたが、多くの他の実施例を想定することができ、本発明の精神及び範囲から逸脱することなく当業者には多くの追加の利点、修正、及び変更が容易に想定されることが理解されよう。したがって、本発明は、そのより広い態様では、本明細書で図示して説明した特定の詳細、代表的なデバイス、及び例示した実例に限定されない。したがって、添付の特許請求の範囲及びその均等物によって定義される一般的な本発明の概念の精神又は範囲から逸脱することなく、様々な修正を行うことができる。したがって、添付の特許請求の範囲は、本発明の真の精神及び範囲に入るすべてのそのような修正及び変更を網羅するものと意図されることを理解されたい。本発明の精神及び範囲から逸脱することなく多くの他の実施例を想定することができる。
【図１ａ】
2011511924.tif 000003
【図１ｂ】
2011511924.tif 000004
【図２ａ】
2011511924.tif 000005
【図２ｂ】
2011511924.tif 000006
【図３】
2011511924.tif 000007
【国際調査報告】
2011511924.tif 000008
2011511924.tif 000009
2011511924.tif 000010
2011511924.tif 000011